(57)【要約】【課題】半透明ディスクである場合、再挿入を検知することができず、ローディング装置が正しく起動しない。【解決手段】フォトセンサによる検知結果に基づいて光ディスクをローディングする光ディスク再生装置を、光ディスクが挿入される挿入口と、挿入口に光ディスクが挿入されたことを検知可能な第一フォトセンサと、挿入口に光ディスクが挿入されたことを検知可能であり、発光部から射出されるセンサ光の強度が第一フォトセンサよりも弱い第二フォトセンサと、光ディスクが挿入口から排出されている途中に挿入口に再挿入されたことを検知可能な第三フォトセンサと、各フォトセンサを制御する制御部とを備え、制御部が、第一及び第二フォトセンサの検知結果に基づいて挿入口に挿入された光ディスクの種別を判定し、判定された種別に基づいて第三フォトセンサのセンサ光の強度を設定するよう構成する。【選択図】図４
2018116754.tif 000002
【特許請求の範囲】
【請求項１】
フォトセンサによる検知結果に基づいて光ディスクをローディングする光ディスク再生装置において、
前記光ディスクが挿入される挿入口と、
前記挿入口に前記光ディスクが挿入されたことを検知可能な第一フォトセンサと、
前記挿入口に前記光ディスクが挿入されたことを検知可能であり、発光部から射出されるセンサ光の強度が前記第一フォトセンサよりも弱い第二フォトセンサと、
前記光ディスクが前記挿入口から排出されている途中に前記挿入口に再挿入されたことを検知可能な第三フォトセンサと、
各前記フォトセンサを制御する制御部と、
を備え、
前記制御部は、
前記第一及び前記第二フォトセンサの検知結果に基づいて前記挿入口に挿入された光ディスクの種別を判定し、
判定された種別に基づいて前記第三フォトセンサのセンサ光の強度を設定する、
光ディスク再生装置。
【請求項２】
前記制御部は、
前記第一及び前記第二フォトセンサの検知結果に基づいて、前記挿入口に挿入された光ディスクが、前記各フォトセンサの発光部から射出されるセンサ光を遮光する層構造を持つ通常ディスク、又は前記センサ光が透過可能な層構造を持つ半透明ディスクであるかを判定し、
前記通常ディスクと判定した場合には、前記第三フォトセンサのセンサ光の強度を第一の強度に設定し、
前記半透明ディスクと判定した場合には、前記第三フォトセンサのセンサ光の強度を、前記半透明ディスクで遮光される、前記第一の強度よりも弱い第二の強度に設定する、
請求項１に記載の光ディスク再生装置。
【請求項３】
前記第一フォトセンサのセンサ光の強度は、
前記通常ディスクで遮光され且つ前記半透明ディスクを透過する強度であり、
前記第二フォトセンサのセンサ光の強度は、
前記通常ディスク及び前記半透明ディスクで遮光される強度であり、
前記制御部は、
前記第一及び前記第二フォトセンサにて前記センサ光の通光が検出できない場合には前記通常ディスクが挿入されたと判定し、
前記第一及び前記第二フォトセンサのうち前記第二フォトセンサだけで前記センサ光の通光が検出できない場合には前記半透明ディスクが挿入されたと判定する、
請求項２に記載の光ディスク再生装置。
【請求項４】
前記制御部は、
前記第一フォトセンサと前記第二フォトセンサの少なくとも一方の発光部をパルス発光制御する、
請求項１から請求項３の何れか一項に記載の光ディスク再生装置。
【請求項５】
前記制御部は、
パルス発光制御中のフォトセンサからパルス状の検出信号以外の検出信号が出力されている場合、所定のエラー処理を行う、
請求項４に記載の光ディスク再生装置。
【請求項６】
表示部を備え、
前記所定のエラー処理は、
前記表示部にエラーメッセージを表示する処理である、
請求項５に記載の光ディスク再生装置。
【請求項７】
光ディスク再生装置の挿入口近傍に配置された、第一フォトセンサ、及び発光部から射出されるセンサ光の強度が前記第一フォトセンサよりも弱い第二フォトセンサの検出結果に基づいて、前記挿入口に挿入された光ディスクの種別を判定する判定ステップと、
判定された種別に基づいて、前記第一及び前記第二フォトセンサよりも前記光ディスクの回転中心に近い位置に配置されている第三フォトセンサのセンサ光の強度を設定する設定ステップと、
を含む、
光ディスク再生方法。
【請求項８】
前記判定ステップにて、
前記第一及び前記第二フォトセンサの検知結果に基づいて、前記挿入口に挿入された光ディスクが、前記各フォトセンサの発光部から射出されるセンサ光を遮光する層構造を持つ通常ディスク、又は前記センサ光が透過可能な層構造を持つ半透明ディスクであるかを判定し、
前記設定ステップにて、
前記判定ステップにて前記通常ディスクと判定した場合には、前記第三フォトセンサのセンサ光の強度を第一の強度に設定し、
前記判定ステップにて前記半透明ディスクと判定した場合には、前記第三フォトセンサのセンサ光の強度を、前記半透明ディスクで遮光される、前記第一の強度よりも弱い第二の強度に設定する、
請求項７に記載の光ディスク再生方法。
【請求項９】
前記第一フォトセンサのセンサ光の強度は、
前記通常ディスクで遮光され且つ前記半透明ディスクを透過する強度であり、
前記第二フォトセンサのセンサ光の強度は、
前記通常ディスク及び前記半透明ディスクで遮光される強度であり、
前記判定ステップにて、
前記第一及び前記第二フォトセンサにて前記センサ光の通光が検出できない場合には前記通常ディスクが挿入されたと判定し、
前記第一及び前記第二フォトセンサのうち前記第二フォトセンサだけで前記センサ光の通光が検出できない場合には前記半透明ディスクが挿入されたと判定する、
請求項８に記載の光ディスク再生方法。
【請求項１０】
前記第一フォトセンサと前記第二フォトセンサの少なくとも一方の発光部をパルス発光制御する、
請求項７から請求項９の何れか一項に記載の光ディスク再生方法。
【請求項１１】
パルス発光制御中のフォトセンサからパルス状の検出信号が一定時間出力されているか否かを判定するステップと、
パルス状の検出信号が一定時間出力されていないと判定された場合に所定のエラー処理を行うステップと、
を更に含む、
請求項１０に記載の光ディスク再生方法。
【請求項１２】
前記所定のエラー処理は、
前記表示部にエラーメッセージを表示する処理である、
請求項１１に記載の光ディスク再生方法。
【発明の詳細な説明】
【技術分野】
【０００１】
本発明は、光ディスク再生装置及び光ディスク再生方法に関する。
【背景技術】
【０００２】
ＢＤ（Blu-ray（登録商標） Disc）やＤＶＤ（Digital Versatile Disc）、ＣＤ（Compact Disc）等の光ディスクを再生する光ディスク再生装置が知られている。この種の光ディスクには、可視光領域や赤外光領域の光を実質的に遮光する遮光度の高い通常ディスクやこれらの光を一部透過する遮光度の低い半透明ディスクがある。光ディスク再生装置では、光ディスクの挿入がフォトセンサによって検知されると、ローディング装置が起動して光ディスクを再生部まで移動させる。
【０００３】
例えば特許文献１に、この種の光ディスク再生装置の具体的構成が記載されている。特許文献１に記載の光ディスク再生装置は、第一のフォトセンサと、発光部と受光部との間に偏光子及び偏光板が設けられた第二のフォトセンサを備えており、第一のフォトセンサ及び第二のフォトセンサの検知結果に基づいて通常ディスクや半透明ディスクの挿入判定を行うように構成されている。
【先行技術文献】
【特許文献】
【０００４】
【特許文献１】特開平１１−３４５４５３号公報
【発明の概要】
【発明が解決しようとする課題】
【０００５】
光ディスク再生装置の使用例として、光ディスクが排出されている途中でユーザが再挿入しようとして光ディスクを手で押し込むことが考えられる。しかし、特許文献１に記載の光ディスク再生装置をはじめとする従来の光ディスク再生装置では、半透明ディスクである場合、再挿入を検知することができず、ローディング装置が正しく起動しないという問題が指摘される。
【０００６】
本発明は上記の事情に鑑みてなされたものであり、その目的とするところは、光ディスクの種別に拘わらず再挿入された光ディスクを正しくローディングするのに好適な光ディスク再生装置及び光ディスク再生方法を提供することである。
【課題を解決するための手段】
【０００７】
本発明の一実施形態に係る光ディスク再生装置は、フォトセンサによる検知結果に基づいて光ディスクをローディングする装置であり、光ディスクが挿入される挿入口と、挿入口に光ディスクが挿入されたことを検知可能な第一フォトセンサと、挿入口に光ディスクが挿入されたことを検知可能であり、発光部から射出されるセンサ光の強度が第一フォトセンサよりも弱い第二フォトセンサと、光ディスクが挿入口から排出されている途中に挿入口に再挿入されたことを検知可能な第三フォトセンサと、各フォトセンサを制御する制御部とを備える。制御部は、第一及び第二フォトセンサの検知結果に基づいて挿入口に挿入された光ディスクの種別を判定し、判定された種別に基づいて第三フォトセンサのセンサ光の強度を設定する。
【０００８】
また、本発明の一実施形態において、制御部は、第一及び第二フォトセンサの検知結果に基づいて、挿入口に挿入された光ディスクが、各フォトセンサの発光部から射出されるセンサ光を遮光する層構造を持つ通常ディスク、又はセンサ光が透過可能な層構造を持つ半透明ディスクであるかを判定し、通常ディスクと判定した場合には、第三フォトセンサのセンサ光の強度を第一の強度に設定し、半透明ディスクと判定した場合には、第三フォトセンサのセンサ光の強度を、半透明ディスクで遮光される、第一の強度よりも弱い第二の強度に設定する構成としてもよい。
【０００９】
また、本発明の一実施形態において、第一フォトセンサのセンサ光の強度は、例えば通常ディスクで遮光され且つ半透明ディスクを透過する強度であり、第二フォトセンサのセンサ光の強度は、例えば通常ディスク及び半透明ディスクで遮光される強度である。この場合、制御部は、第一及び第二フォトセンサにてセンサ光の通光が検出できない場合には通常ディスクが挿入されたと判定し、第一及び第二フォトセンサのうち第二フォトセンサだけでセンサ光の通光が検出できない場合には半透明ディスクが挿入されたと判定する構成としてもよい。
【００１０】
また、本発明の一実施形態において、制御部は、第一フォトセンサと第二フォトセンサの少なくとも一方の発光部をパルス発光制御する構成としてもよい。
【００１１】
また、本発明の一実施形態において、制御部は、パルス発光制御中のフォトセンサからパルス状の検出信号以外の検出信号が出力されている場合、所定のエラー処理を行う構成としてもよい。
【００１２】
また、本発明の一実施形態に係る光ディスク再生装置は、表示部を備える構成としてもよい。この場合、所定のエラー処理は、例えば表示部にエラーメッセージを表示する処理である。
【００１３】
また、本発明の一実施形態に係る光ディスク再生方法は、光ディスク再生装置の挿入口近傍に配置された、第一フォトセンサ、及び発光部から射出されるセンサ光の強度が第一フォトセンサよりも弱い第二フォトセンサの検出結果に基づいて、挿入口に挿入された光ディスクの種別を判定する判定ステップと、判定された種別に基づいて、第一及び第二フォトセンサよりも光ディスクの回転中心に近い位置に配置されている第三フォトセンサのセンサ光の強度を設定する設定ステップとを含む。
【００１４】
また、本発明の一実施形態によれば、判定ステップにて、第一及び第二フォトセンサの検知結果に基づいて、挿入口に挿入された光ディスクが、各フォトセンサの発光部から射出されるセンサ光を遮光する層構造を持つ通常ディスク、又はセンサ光が透過可能な層構造を持つ半透明ディスクであるかを判定し、設定ステップにて、判定ステップにて通常ディスクと判定した場合には、第三フォトセンサのセンサ光の強度を第一の強度に設定し、判定ステップにて半透明ディスクと判定した場合には、第三フォトセンサのセンサ光の強度を、半透明ディスクで遮光される、第一の強度よりも弱い第二の強度に設定してもよい。
【００１５】
また、本発明の一実施形態において、第一フォトセンサのセンサ光の強度は、例えば通常ディスクで遮光され且つ半透明ディスクを透過する強度であり、第二フォトセンサのセンサ光の強度は、例えば通常ディスク及び半透明ディスクで遮光される強度である。この場合、判定ステップにて、第一及び第二フォトセンサにてセンサ光の通光が検出できない場合には通常ディスクが挿入されたと判定し、第一及び第二フォトセンサのうち第二フォトセンサだけでセンサ光の通光が検出できない場合には半透明ディスクが挿入されたと判定してもよい。
【００１６】
また、本発明の一実施形態において、第一フォトセンサと第二フォトセンサの少なくとも一方の発光部をパルス発光制御してもよい。
【００１７】
また、本発明の一実施形態に係る光ディスク再生方法は、パルス発光制御中のフォトセンサからパルス状の検出信号が一定時間出力されているか否かを判定するステップと、パルス状の検出信号が一定時間出力されていないと判定された場合に所定のエラー処理を行うステップとを更に含む方法としてもよい。所定のエラー処理は、例えば表示部にエラーメッセージを表示する処理である。
【発明の効果】
【００１８】
本発明の一実施形態によれば、光ディスクの種別に拘わらず再挿入された光ディスクを正しくローディングするのに好適な光ディスク再生装置及び光ディスク再生方法が提供される。
【図面の簡単な説明】
【００１９】
【図１】本発明の一実施形態に係る光ディスク再生装置の構成を示すブロック図である。
【図２】本発明の一実施形態に係る光ディスク再生装置の概略構成を示す図である。
【図３】本発明の一実施形態に係る光ディスク再生装置の筐体内部を上方から視たときの概略的な内部構成図である。
【図４】本発明の一実施形態に係る光ディスク再生装置のシステムコントロール部にて光ディスクのローディング前に実行されるローディング前処理のフローチャートを示す図である。
【図５】本発明の一実施形態に係る光ディスク再生装置のシステムコントロール部にて実行される排出・再挿入判定処理のフローチャートを示す図である。
【発明を実施するための形態】
【００２０】
以下、本発明の実施形態について図面を参照しながら説明する。なお、以下においては、本発明の一実施形態として光ディスク再生装置を例に取り説明する。
【００２１】
［光ディスク再生装置の構成］
図１は、本発明の一実施形態に係る光ディスク再生装置１の構成を示すブロック図である。図２は、本発明の一実施形態に係る光ディスク再生装置１の概略構成（主にメカ構成）を示す図である。本実施形態に係る光ディスク再生装置１は、例えば車両に搭載されており、光ディスクＤの記録面ＲＳに記録されたデータの読み込み／再生を行う。光ディスクＤには、例示として、ＣＤ-ＲＯＭ、ＣＤ-ＤＡ（Compact Disc Digital Audio）、ＣＤエクストラ（CD-EXTRA）、ＤＶＤ（Digital Versatile Disc）、ＢＤ（Blu-ray（登録商標） Disc）等が挙げられる。
【００２２】
図１に示されるように、光ディスク再生装置１は、光ディスク処理装置１００及び光ディスク処理装置１００と接続されたホスト側コンピュータ２００を備えている。
【００２３】
図１及び図２に示されるように、光ディスク処理装置１００は、回転モータ１０２、ピックアップ部１０４、サーボ制御部１０６、回転速度制御部１０８、データ復号部１１０、バッファメモリ１１２、データ転送部１１４、システムコントロール部１１６、第一フォトセンサ１１８Ａ、第二フォトセンサ１１８Ｂ、第三フォトセンサ１２０、ローディング装置１２２、ターンテーブル１２４、リミットスイッチ１２６、発光調整部１２８及び筐体１５０を備えている。
【００２４】
回転モータ１０２は、光ディスクＤを回転させるものであり、例示的にはステッピングモータやスピンドルモータである。回転モータ１０２には、光ディスクＤを支持するターンテーブル１２４が回転可能に連結されている。回転モータ１０２が駆動することにより、ターンテーブル１２４及びターンテーブル１２４に支持された光ディスクＤが回転する。
【００２５】
ピックアップ部１０４は、光ディスクＤの記録面ＲＳに記録されたデータを読み取るための機構であり、ピックアップ１０４Ａ及びピックアップ配送装置１０４Ｂを有している。ピックアップ１０４Ａは、規格上定められた波長のレーザ光を記録面ＲＳに照射し、照射された記録面ＲＳからの戻り光を受光し、受光結果を出力する。ピックアップ配送装置１０４Ｂは、スレッドモータ１０４Ｂａの駆動により、ピックアップ１０４Ａを光ディスクＤの径方向に移動させる。
【００２６】
サーボ制御部１０６は、ピックアップ１０４Ａから出力される受光結果に基づいてレーザ光の照射光量、フォーカス位置及びトラッキング位置をサーボ制御する。具体的には、サーボ制御部１０６は、レーザ光の戻り光の光量とリファレンス値とを比較して、戻り光の光量がリファレンス値の光量を維持するようにレーザ光の照射光量を制御する。また、サーボ制御部１０６は、戻り光の光量に基づいてフォーカス制御及びトラッキング制御を行う。
【００２７】
回転速度制御部１０８は、ＺＣＬＶ（Zone Constant Linear Velocity）方式やＣＡＶ（Constant Angular Velocity）方式等によって回転モータ１０２を回転駆動することにより、光ディスクＤの回転速度を可変制御する。
【００２８】
データ復号部１１０は、ピックアップ１０４Ａから出力される受光結果に基づいて光ディスクＤの記録面ＲＳに記録されたデータを復号する。
【００２９】
バッファメモリ１１２は、データ復号部１１０によって復号化されたデータを一時的に保持する。
【００３０】
データ転送部１１４は、バッファメモリ１１２に保持されたデータをシステムコントロール部１１６に転送する。
【００３１】
システムコントロール部（制御部）１１６は、光ディスク処理装置１００を統括的に制御すると共にホスト側コンピュータ２００と連携して光ディスク再生装置１全体を制御する。一例を説明すると、システムコントロール部１１６は、ローディング動作を行うため、発光調整部１２８を介して、第一フォトセンサ１１８Ａ、第二フォトセンサ１１８Ｂ、第三フォトセンサ１２０の各フォトセンサの発光を制御する。
【００３２】
ホスト側コンピュータ２００は、ホストＣＰＵ２０２、キー入力機器２０４及び表示部２０６を備えている。ホストＣＰＵ２０２は、例えば、キー入力機器２０４に対するユーザ操作に応じて光ディスク処理装置１００にコマンドを出力して光ディスク処理を行わせたり、光ディスク処理装置１００より取得したデータ（例えば光ディスクＤの記録面ＲＳに記録されたデータ）を処理して表示部２０６に表示させたりする。
【００３３】
筐体１５０のフロント面には、光ディスクＤが挿入される挿入口（スロット）１５０ａが設けられている。
【００３４】
図３は、筐体１５０内部を上方から視たときの概略的な内部構成図であり、主に、筐体１５０内部に配置された各フォトセンサの位置関係を示している。図３に示されるように、第一フォトセンサ１１８Ａ及び第二フォトセンサ１１８Ｂは、スロット１５０ａ近傍に並べて配置されている。第三フォトセンサ１２０は、第一フォトセンサ１１８Ａ及び第二フォトセンサ１１８Ｂよりも奥側（第一フォトセンサ１１８Ａ及び第二フォトセンサ１１８Ｂよりも光ディスクＤの回転中心に近い位置）に配置されている。
【００３５】
図２に示されるように、第一フォトセンサ１１８Ａは、発光部１１８Ａｅ及び受光部１１８Ａｒを有している。発光部１１８Ａｅ及び受光部１１８Ａｒは、光ディスクＤの進行経路を挟んで対向する位置に設置されている。発光部１１８Ａｅは、例えばＬＥＤ（Light Emitting Diode）等の発光ダイオードである。受光部１１８Ａｒは、例えばフォトトランジスタである。
【００３６】
受光部１１８Ａｒは、発光部１１８Ａｅより射出される光（以下、「センサ光」と記す。）を受光している期間中、検出信号をシステムコントロール部１１６に出力する（例えばローレベルの電圧がシステムコントロール部１１６のポートに入力される。）。また、受光部１１８Ａｒは、センサ光を受光していない期間中、検出信号をシステムコントロール部１１６に出力しない（例えばハイレベルの電圧がシステムコントロール部１１６のポートに入力される。）。なお、受光部１１８Ａｒは、一定レベル以上の強度を持つ光しか検出することができない。そのため、より正確には、受光部１１８Ａｒは、一定レベル以上のセンサ光の受光期間中に検出信号を出力し、それ以外の期間中には検出信号を出力しない。
【００３７】
第二フォトセンサ１１８Ｂは、発光部１１８Ｂｅ及び受光部１１８Ｂｒを有している。第二フォトセンサ１１８Ｂも第一フォトセンサ１１８Ａと同様の構成を有している。そのため、第二フォトセンサ１１８Ｂについては、第一フォトセンサ１１８Ａと重複する部分の説明を適宜省略する。
【００３８】
第三フォトセンサ１２０は、発光部１２０ｅ及び受光部１２０ｒを有している。第三フォトセンサ１２０も第一フォトセンサ１１８Ａと同様の構成を有している。そのため、第三フォトセンサ１２０については、第一フォトセンサ１１８Ａと重複する部分の説明を適宜省略する。
【００３９】
ローディング装置１２２は、ローラ１２２ａ及びガイド部１２２ｂを有している。ローラ１２２ａは、図示省略された駆動源及び駆動機構によって回転駆動する。ローラ１２２ａは、ガイド部１２２ｂとの間で光ディスクＤを挟持し、回転することによって光ディスクＤをターンテーブル１２４によって支持される位置まで移動させる。
【００４０】
［ローディング前処理］
図４は、システムコントロール部１１６にて光ディスクＤのローディング前に実行されるローディング前処理のフローチャートを示す図である。光ディスク再生装置１は、電源がオンされると、システムが起動する。本フローチャートに示されるローディング前処理は、例えばシステムの起動が完了すると同時にその実行が開始される。
【００４１】
［図４のＳ１１（第一フォトセンサ１１８Ａ及び第二フォトセンサ１１８Ｂの発光制御）］
処理ステップＳ１１では、発光調整部１２８により、第一フォトセンサ１１８Ａ及び第二フォトセンサ１１８Ｂの発光制御が開始される。これにより、第一フォトセンサ１１８Ａの発光部１１８Ａｅは、通常強度（第一の強度）のセンサ光を射出する。また、第二フォトセンサ１１８Ｂの発光部１１８Ｂｅは、通常強度よりも弱い弱強度（第二の強度）であってパルス状のセンサ光を射出する。なお、センサ光の強度が弱すぎると、スロット１５０ａ内に侵入した直射日光等による迷光がノイズとなり、フォトセンサによる検出精度が低下しやすくなる。弱強度は、この点を考慮した強度に設定されることが望ましい。
【００４２】
［図４のＳ１２（エラー判定）］
処理ステップＳ１２では、第二フォトセンサ１１８Ｂからパルス状の検出信号が一定時間出力されているか否かが判定される。
【００４３】
［図４のＳ１３（アラートメッセージの表示）］
本処理ステップＳ１３は、処理ステップＳ１２（エラー判定）にて第二フォトセンサ１１８Ｂからパルス状の検出信号が一定時間出力されていないと判定された場合（Ｓ１２：ＮＯ）に実行される。この場合、例示的には、スロット１５０ａ内に侵入した直射日光等による迷光によって非パルス状の検出信号（連続的な検出信号等）が出力されている状態にある。本処理ステップＳ１３では、迷光による誤検出によって光ディスクＤが正しくローディングされない虞があることから、所定のアラートメッセージが表示部２０６に表示される。アラートメッセージには、一例として「直射日光がスロットに当たらないようにして下さい。」といったものが考えられる。アラートメッセージを見たユーザが例えばスロット１５０ａの前に手をかざす等の対応を取ることにより、直射日光等による迷光の発生が防がれる。
【００４４】
［図４のＳ１４（第二フォトセンサ１１８Ｂの判定）］
上述したように、第一フォトセンサ１１８Ａ及び第二フォトセンサ１１８Ｂは、スロット１５０ａ近傍に配置されている。そのため、光ディスクＤがスロット１５０ａから筐体１５０内に挿入されると、光ディスクＤの一部分（挿入側の先端部分）が第一フォトセンサ１１８Ａ、第二フォトセンサ１１８Ｂの各フォトセンサの発光部と受光部との間に入り込む。
【００４５】
ここで、光ディスクＤには、各フォトセンサの発光部から射出されるセンサ光を遮光する層構造を持つ通常ディスクと、センサ光が透過可能な層構造を持つ半透明ディスクがある。通常ディスクは、遮光度が高いため、フォトセンサの発光部と受光部との間に介在している間、通常強度、弱強度の何れの強度のセンサ光も遮光する。半透明ディスクは、遮光度が低いため、フォトセンサの発光部と受光部との間に介在している間、弱強度のセンサ光を遮光する一方、通常強度のセンサ光を遮光しない。より詳細には、通常強度のセンサ光の一部が半透明ディスクを透過することにより、受光部において一定レベル以上のセンサ光が受光される。
【００４６】
すなわち、スロット１５０ａに挿入された光ディスクＤが通常ディスクである場合、第一フォトセンサ１１８Ａ、第二フォトセンサ１１８Ｂの何れにおいてもセンサ光の通光が検出されない。これに対し、スロット１５０ａに挿入された光ディスクＤが半透明ディスクである場合、第一フォトセンサ１１８Ａではセンサ光の通光が検出され、第二フォトセンサ１１８Ｂではセンサ光の通光が検出されない。
【００４７】
本処理ステップＳ１４は、処理ステップＳ１２（エラー判定）にて第二フォトセンサ１１８Ｂからパルス状の検出信号が一定時間出力されていると判定された場合（Ｓ１２：ＹＥＳ）に実行される。本処理ステップＳ１４では、第二フォトセンサ１１８Ｂから検出信号が出力されているか否かが判定される。
【００４８】
［図４のＳ１５（第一フォトセンサ１１８Ａの判定）］
本処理ステップＳ１５は、処理ステップＳ１４（第二フォトセンサ１１８Ｂの判定）にて第二フォトセンサ１１８Ｂから検出信号が出力されていると判定された場合（Ｓ１４：ＹＥＳ）に実行される。本処理ステップＳ１５では、第一フォトセンサ１１８Ａから検出信号が出力されているか否かが判定される。
【００４９】
［図４のＳ１６（光ディスク無しの判定）］
本処理ステップＳ１６は、処理ステップＳ１５（第一フォトセンサ１１８Ａの判定）にて第一フォトセンサ１１８Ａから検出信号が出力されていると判定された場合（Ｓ１５：ＹＥＳ）に実行される。この場合、第一フォトセンサ１１８Ａ、第二フォトセンサ１１８Ｂの何れにおいてもセンサ光の通光が検出されている。そのため、本処理ステップＳ１６では、光ディスクＤが挿入されていないと判定される。次いで、本フローチャートの処理は、処理ステップＳ１２（エラー判定）に戻る。
【００５０】
［図４のＳ１７（エラー判定）］
本処理ステップＳ１７は、処理ステップＳ１５（第一フォトセンサ１１８Ａの判定）にて第一フォトセンサ１１８Ａから検出信号が出力されていないと判定された場合（Ｓ１５：ＮＯ）に実行される。この場合、強度の弱いセンサ光（第二フォトセンサ１１８Ｂのセンサ光）の通光が検出され、強度の強いセンサ光（第一フォトセンサ１１８Ａのセンサ光）の通光が検出されていない。これは、通常あり得ない状態である。そのため、本処理ステップＳ１７では、エラーが発生していると判定される。リトライのため、本フローチャートの処理は、処理ステップＳ１２（エラー判定）に戻る。
【００５１】
［図４のＳ１８（第一フォトセンサ１１８Ａの判定）］
本処理ステップＳ１８は、処理ステップＳ１４（第二フォトセンサ１１８Ｂの判定）にて第二フォトセンサ１１８Ｂから検出信号が出力されていないと判定された場合（Ｓ１４：ＮＯ）に実行される。本処理ステップＳ１８では、第一フォトセンサ１１８Ａから検出信号が出力されているか否かが判定される。
【００５２】
［図４のＳ１９（通常ディスクの判定）］
本処理ステップＳ１９は、処理ステップＳ１８（第一フォトセンサ１１８Ａの判定）にて第一フォトセンサ１１８Ａから検出信号が出力されていないと判定された場合（Ｓ１８：ＮＯ）に実行される。この場合、第一フォトセンサ１１８Ａ、第二フォトセンサ１１８Ｂの何れにおいてもセンサ光の通光が検出されていない。すなわち、何れのセンサ光も光ディスクＤによって遮蔽されている状態にある。そのため、本処理ステップＳ１９では、通常ディスクが挿入されたと判定される。
【００５３】
［図４のＳ２０（第三フォトセンサ１２０の発光制御）］
本処理ステップＳ２０では、発光調整部１２８により、第三フォトセンサ１２０の発光部１２０ｅより射出されるセンサ光の強度が通常強度（例えば第一フォトセンサ１１８Ａのセンサ光と同じ強度）に設定されて、第三フォトセンサ１２０の発光制御が開始される。これにより、本フローチャートの処理が完了し、次いで、ローディング装置１２２による光ディスクＤのローディングが行われる。
【００５４】
［図４のＳ２１（半透明ディスクの判定）］
本処理ステップＳ２１は、処理ステップＳ１８（第一フォトセンサ１１８Ａの判定）にて第一フォトセンサ１１８Ａから検出信号が出力されていると判定された場合（Ｓ１８：ＹＥＳ）に実行される。この場合、強度の強いセンサ光（第一フォトセンサ１１８Ａのセンサ光）の通光が検出され、強度の弱いセンサ光（第二フォトセンサ１１８Ｂのセンサ光）の通光が検出されていない。すなわち、強度の弱いセンサ光だけが光ディスクＤによって遮蔽されている状態にある。そのため、本処理ステップＳ１９では、半透明ディスクが挿入されたと判定される。
【００５５】
［図４のＳ２２（第三フォトセンサ１２０の発光制御）］
本処理ステップＳ２２では、発光調整部１２８により、第三フォトセンサ１２０の発光部１２０ｅより射出されるセンサ光の強度が弱強度（例えば第二フォトセンサ１１８Ｂのセンサ光と同じ強度）に設定されて、第三フォトセンサ１２０の発光制御が開始される。これにより、本フローチャートの処理が完了し、次いで、ローディング装置１２２による光ディスクＤのローディングが行われる。
【００５６】
本フローチャートに示されるローディング前処理では、第一フォトセンサ１１８Ａ及び第二フォトセンサ１１８Ｂの検知結果に基づいてスロット１５０ａに挿入された光ディスクＤが確実に認識されるため、光ディスクＤが通常ディスクであっても半透明ディスクであってもローディング装置１２２によるローディングが正しく起動する。なお、光ディスクＤのローディング後、第一フォトセンサ１１８Ａ、第二フォトセンサ１１８Ｂ、第三フォトセンサ１２０の何れにおいてもセンサ光の通光が検出されない場合、光ディスクＤが１２ｃｍサイズであると判定される。第三フォトセンサ１２０だけでセンサ光の通光が検出されない場合には、光ディスクＤが８ｃｍサイズであると判定される。
【００５７】
次に、ユーザがキー入力機器２０４のＥＪＥＣＴボタンを押下したときに実行される排出・再挿入判定処理について説明する。図５は、システムコントロール部１１６にて実行される排出・再挿入判定処理のフローチャートを示す図である。
【００５８】
［図５のＳ３１（光ディスクＤの排出）］
本処理ステップＳ３１では、ＥＪＥＣＴボタンの押下をトリガーとして不図示の排出機構が動作する。これにより、光ディスクＤは、図３の破線にて示される位置（言い換えると、第三フォトセンサ１２０のセンサ光が光ディスクＤによって遮光されない位置）まで移動されて、全体の半分以上がスロット１５０ａから外部に排出される。以下、説明の便宜上、図３の破線にて示される光ディスクＤの位置を「排出途中位置」と記す。
【００５９】
［図５のＳ３２（第二フォトセンサ１１８Ｂの検出信号の変化判定）］
光ディスクＤが排出途中位置にあるとき、第二フォトセンサ１１８Ｂでは、光ディスクＤが通常ディスクであるか半透明ディスクであるかに拘わらず、センサ光が光ディスクＤによって遮光されている。そのため、第二フォトセンサ１１８Ｂから検出信号が出力されていない。本処理ステップＳ３２では、第二フォトセンサ１１８Ｂから検出信号が出力される状態に変化したか否かが判定される。
【００６０】
例えば、ユーザが排出途中位置の光ディスクＤをつまんで取り出すと、第二フォトセンサ１１８Ｂのセンサ光が光ディスクＤによって遮光されない状態となる。そのため、本処理ステップＳ３２において、第二フォトセンサ１１８Ｂから検出信号が出力される状態に変化したと判定される（Ｓ３２：ＹＥＳ）。光ディスクＤが完全に排出されたため、本フローチャートの処理が終了する。
【００６１】
［図５のＳ３３（第三フォトセンサ１２０の検出信号の変化判定）］
本処理ステップＳ３３は、処理ステップＳ３２（第二フォトセンサ１１８Ｂの検出信号の変化判定）にて第二フォトセンサ１１８Ｂから検出信号が出力される状態に変化していないと判定された場合（Ｓ３２：ＮＯ）に実行される。ここで、光ディスクＤが排出途中位置にあるとき、第三フォトセンサ１２０では、センサ光が光ディスクＤによって遮光されていない。そのため、第三フォトセンサ１２０から検出信号が出力されている。
【００６２】
本処理ステップＳ３３では、第三フォトセンサ１２０から検出信号が出力されない状態に変化したか否かが判定される。本処理ステップＳ３３にて第三フォトセンサ１２０から検出信号が出力されない状態に変化していないと判定された場合（Ｓ３３：ＮＯ）、本フローチャートの処理は、処理ステップＳ３２（第二フォトセンサ１１８Ｂの検出信号の変化判定）に戻る。
【００６３】
［図５のＳ３４（再挿入の検知）］
本処理ステップＳ３４は、処理ステップＳ３３にて第三フォトセンサ１２０から検出信号が出力されない状態に変化したと判定された場合（Ｓ３３：ＹＥＳ）に実行される。
【００６４】
具体的には、排出途中位置にある光ディスクＤをユーザが再挿入しようとして手で押し込むと、光ディスクＤの一部分（挿入側の先端部分）が第三フォトセンサ１２０の発光部１２０ｅと受光部１２０ｒとの間に入り込む。ここで、第三フォトセンサ１２０のセンサ光の強度は、図４に示されるローディング前処理の実行により、光ディスクＤが通常ディスクである場合には通常強度に設定されており、光ディスクＤが半透明ディスクである場合には弱強度に設定されている。そのため、光ディスクＤが第三フォトセンサ１２０の発光部１２０ｅと受光部１２０ｒとの間に入り込むと、光ディスクＤが半透明ディスクである場合にもセンサ光が確実に遮光される。
【００６５】
従って、排出途中位置にある光ディスクＤをユーザが再挿入しようとして手で押し込むと、処理ステップＳ３３では、光ディスクＤの種別に拘わらず、第三フォトセンサ１２０から検出信号が出力されない状態に変化したと判定される（Ｓ３３：ＹＥＳ）。
【００６６】
本処理ステップＳ３４では、第三フォトセンサ１２０のセンサ光の通光が検出されなくなったことから、光ディスクＤが再挿入されたことが検知される。
【００６７】
［図５のＳ３５（再ローディング）］
本処理ステップＳ３５では、処理ステップＳ３４（再挿入の検知）にて光ディスクＤの再挿入が検知されたため、ローディング装置１２２が駆動制御される。これにより、再挿入された光ディスクＤがターンテーブル１２４によって支持される位置まで移動される。
【００６８】
このように、本フローチャートに示される排出・再挿入判定処理では、図４に示されるローディング前処理の実行によって第三フォトセンサ１２０のセンサ光が光ディスクＤの種別に応じた強度に設定されていることにより、光ディスクＤが通常ディスクであるか半透明ディスクであるかに拘わらず、第三フォトセンサ１２０から検出信号が出力されない状態に変化したこと（すなわち再挿入されたこと）が確実に検知される。そのため、光ディスクの種別に拘わらず再挿入された光ディスクが確実にローディングされる。
【００６９】
以上が本発明の例示的な実施形態の説明である。本発明の実施形態は、上記に説明したものに限定されず、本発明の技術的思想の範囲において様々な変形が可能である。例えば明細書中に例示的に明示される実施例等又は自明な実施例等を適宜組み合わせた内容も本願の実施形態に含まれる。
【００７０】
上記の実施形態では、第二フォトセンサ１１８Ｂのセンサ光をパルス発光制御しているが、別の実施形態では、これに加えて、第一フォトセンサ１１８Ａや第三フォトセンサ１２０のセンサ光をパルス発光制御してもよい。
【符号の説明】
【００７１】
１  光ディスク再生装置
１００  光ディスク処理装置
１０２  回転モータ
１０４  ピックアップ部
１０４Ａ  ピックアップ
１０４Ｂ  ピックアップ配送装置
１０４Ｂａ  スレッドモータ
１０６  サーボ制御部
１０８  回転速度制御部
１１０  データ復号部
１１２  バッファメモリ
１１４  データ転送部
１１６  システムコントロール部
１１８Ａ  第一フォトセンサ
１１８Ａｅ  発光部
１１８Ａｒ  受光部
１１８Ｂ  第二フォトセンサ
１１８Ｂｅ  発光部
１１８Ｂｒ  受光部
１２０  第三フォトセンサ
１２０ｅ  発光部
１２０ｒ  受光部
１２２  ローディング装置
１２２ａ  ローラ
１２２ｂ  ガイド部
１２４  ターンテーブル
１２６  リミットスイッチ
１２８  発光調整部
１５０  筐体
１５０ａ  スロット
２００  ホスト側コンピュータ
２０２  ホストＣＰＵ
２０４  キー入力機器
２０６  表示部
【図１】
2018116754.tif 000003
【図２】
2018116754.tif 000004
【図３】
2018116754.tif 000005
【図４】
2018116754.tif 000006
【図５】
2018116754.tif 000007